(57)【特許請求の範囲】
【請求項１】
現像済みのフィルムが収納されたフィルムカートリッジを装着し、該フィルムの各コマの映像を光学的に取出し、電子映像信号に変換して表示手段に表示する電子フィルムビュワー装置において、
上記フィルムを給送するフィルム給送手段と、
上記フィルム給送手段により位置出しされたコマの映像を光学的に取出し、電子映像信号として得る画像入力手段と、
上記画像入力手段から取り出された電子映像信号を記憶するための画像メモリ手段と、
上記表示手段の１表示画面を所定数に分割して、上記画像入力手段によって順次得られる１コマの画像をその１つの分割画像部分に相当する記憶領域に順次記憶させ、複数コマの画像を同時に表示するマルチ画面を生成するマルチ画面生成手段と、
上記マルチ画面生成手段により生成された上記マルチ画面を上記画像メモリ手段に記憶するマルチ画像記憶手段と、
上記マルチ画像記憶手段に記憶された上記マルチ画面をビデオ信号として読み出して上記表示手段に表示するマルチ画面表示手段と、
指定された１コマに応じた所定位置までフィルムを給送して、その指定された１コマの映像を光学的に取り出してビデオ信号として得て、上記画像メモリ手段を介さずに、フィルム画像データを上記表示手段に表示するフィルムコマ画面表示手段と、
上記マルチ画面表示手段による表示と上記フィルムコマ画像表示手段による表示とを選択的に切り換えて、いずれかのビデオ信号を上記表示手段に送出する切換手段と、
を具備することを特徴とする電子フィルムビュワー装置。
【請求項２】
上記フィルムコマ画面表示手段により表示されるコマは、上記マルチ画面表示手段により表示された上記マルチ画面の中から選択指定された所望する１コマであることを特徴とする請求項１記載の電子フィルムビュワー装置。
【請求項３】
現像済みのフィルムが巻回し収納されたフィルムカートリッジを装着し、該フィルムのコマの映像を光学的に取り出し、電子映像信号に変換して表示手段に表示する電子フィルムビュワー装置において、
給送モータによリ上記フィルムカートリッジから上記フィルムを給送し若しくは巻き戻すフィルム給送手段と、
上記フィルムのコマから映像を光学的に取り出し、電子映像信号に変換する画像入力手段と、
上記画像入力手段から取り出された電子映像信号を記憶するための画像メモリ手段と、
上記画像メモリ手段に電子映像信号を記憶させる際に、上記表示手段の１表示画面を所定数に分割して、フィルム１コマの画像をその１つの分割画像部分に相当する記憶領域に順次記憶させ、全コマの画像を同時に表示するマルチ画面を生成するマルチ画面生成手段と、
上記フィルムの所望コマの映像、上記画像メモリ手段に記憶されるマルチ画面若しくは、上記画像入力手段により取り出した上記マルチ画面内で指定された１分割画像に相当する上記フィルムの所定コマの映像のいずれかを選択し、上記表示手段に送出するエンコーダ手段と、
を具備し、
上記マルチ画面内の所望画像が指定されたときに、上記フィルムを給送して所定コマの位置出しした後、入カされた電子映像信号を上記画像メモリ手段を介さずに、上記エンコーダ手段に入力することを特徴とする電子フィルムビュワー装置。
【発明の詳細な説明】
【０００１】
【産業上の利用分野】
本発明は、フィルムカートリッジに収納される現像済みフィルムの映像をＴＶモニタに画像表示する電子フィルムビュワー装置に関する。
【０００２】
【従来の技術】
従来、現像済みフィルムの映像を光学的に取り出し、ＣＣＤ等の撮像素子で光電変換して電子映像信号（ビデオ信号）を生成し、ＴＶモニタに画像表示する電子フィルムビュワー装置がある。
【０００３】
例えば、特開平４−６８８７７号公報には、フィルムのコマから映像をイメージセンサで画像データとして取り出し、一旦、フレームメモリに記憶した後、ビデオ信号に変換して画像表示させる技術が開示されている。
【０００４】
また、特開平３−２２９３６８号公報には、フィルムからイメージセンサで取り出した画像データをフレームメモリに記憶させ、併わせて、複数の画像データを１表示画面に表示するマルチ画面を生成し、そのマルチ画面に表示された画像の中から原画像を検索する例が示されている。
【０００５】
さらには、ノーリツ社製の銀塩写真プリンタ装置（ＱＳＳ−１９１２）には、スキャーナで読み取った画像データを表示画面に一度に複数（６コマや２８コマ）表示させてプリント前の補正確認を行なうためのマルチ画面表示機能も含まれている。
【０００６】
一般に、現像されたフィルムは数コマづつに分断されて、フィルムケースに収納されてユーザに返却されている。最近では、ＵＳＰ５，２３１，４３９号に示される様な現像済のフィルムを切断せずにフィルムカートリッジに入れたままユーザに返却する提案がなされている。
【０００７】
【発明が解決しようとする課題】
しかし、前述した特開平４−６８８７７号公報では、フィルムから１コマの映像を画像入力してビデオ信号に表示する技術のみで、１コマ対応分のメモリの例しか示されていない。従って、この装置では、フィルムから１コマ毎に画像として取り出して画像を確認するか、フィルムのコマを目視して確認することになる。
【０００８】
また、特開平３−２２９３６８号公報では、マルチ画面について記述されているが、各画像と共に多数のマルチ画面画像をメモリに記憶しているので膨大なメモリ容量が必要になる。
【０００９】
さらに、銀塩写真プリンタ装置（ＱＳＳ−１９１２）については、マルチ画面の機能はあるが、もともと記憶されている全コマ分の画像データの中から選択してマルチ画面を生成するものであり、メモリ容量を含み、該装置の規模が大がかりなものである。
【００１０】
そこで本発明では、少ないメモリ容量の簡素な構成で、フィルムカートリッジに収納される現像済みフィルムの内容を確認可能な電子フィルムビュワー装置を提供することを目的とする。
【００１１】
【課題を解決するための手段】
本発明は上記目的を達成するために、現像済みのフィルムが収納されたフィルムカートリッジを装着し、該フィルムの各コマの映像を光学的に取出し、電子映像信号に変換して表示手段に表示する電子フィルムビュワー装置において、上記フィルムを給送するフィルム給送手段と、上記フィルム給送手段により位置出しされたコマの映像を光学的に取出し、電子映像信号として得る画像入力手段と、上記画像入力手段から取り出された電子映像信号を記憶するための画像メモリ手段と、上記表示手段の１表示画面を所定数に分割して、上記画像入力手段によって順次得られる１コマの画像をその１つの分割画像部分に相当する記憶領域に順次記憶させ、複数コマの画像を同時に表示するマルチ画面を生成するマルチ画面生成手段と、上記マルチ画面生成手段により生成された上記マルチ画面を上記画像メモリ手段に記憶するマルチ画像記憶手段と、上記マルチ画像記憶手段に記憶された上記マルチ画面をビデオ信号として読み出して上記表示手段に表示するマルチ画面表示手段と、指定された１コマに応じた所定位置までフィルムを給送して、その指定された１コマの映像を光学的に取り出してビデオ信号として得て、上記画像メモリ手段を介さずに、フィルム画像データを上記表示手段に表示するフィルムコマ画面表示手段と、上記マルチ画面表示手段による表示と上記フィルムコマ画像表示手段による表示とを選択的に切り換えて、いずれかのビデオ信号を上記表示手段に送出する切換手段とを備える電子フィルムビュワー装置を提供する。
【００１２】
また、上記フィルムコマ画面表示手段により表示されるコマは、上記マルチ画面表示手段により表示された上記マルチ画面の中から選択指定された所望する１コマである電子フィルムビュワー装置を提供する。
【００１３】
さらに、現像済みのフィルムが巻回し収納されたフィルムカートリッジを装着し、該フィルムのコマの映像を光学的に取り出し、電子映像信号に変換して表示手段に表示する電子フィルムビュワー装置において、給送モータによリ上記フィルムカートリッジから上記フィルムを給送し若しくは巻き戻すフィルム給送手段と、上記フィルムのコマから映像を光学的に取り出し、電子映像信号に変換する画像入力手段と、上記画像入力手段から取り出された電子映像信号を記憶するための画像メモリ手段と、上記画像メモリ手段に電子映像信号を記憶させる際に、上記表示手段の１表示画面を所定数に分割して、フィルム１コマの画像をその１つの分割画像部分に相当する記憶領域に順次記憶させ、全コマの画像を同時に表示するマルチ画面を生成するマルチ画面生成手段と、上記フィルムの所望コマの映像、上記画像メモリ手段に記憶されるマルチ画面若しくは、上記画像入力手段により取り出した上記マルチ画面内で指定された１分割画像に相当する上記フィルムの所定コマの映像のいずれかを選択し、上記表示手段に送出するエンコーダ手段とを備え、上記マルチ画面内の所望画像が指定されたときに、上記フィルムを給送して所定コマの位置出しした後、入カされた電子映像信号を上記画像メモリ手段を介さずに、上記エンコーダ手段に入力する電子フィルムビュワー装置を提供する。
【００１４】
【作用】
以上のような構成の電子フィルムビュワー装置は、フィルムの複数コマの画像データが同時に１画面で見られるマルチ画面が生成され、メモリに記憶される。１つのマルチ画面を見ることで、フィルムの複数コマの画像データに渡って確認でき、所望するコマ数を指定すると、指定されたコマが選択され、画像メモリを介さずにフィルムのコマから画像データが直接、表示画面に表示される。
【００１５】
【実施例】
以下、図面を参照して本発明の実施例を詳細に説明する。
図１には、本発明の電子フィルムビュワー装置における概念的な構成を示し説明する。
【００１６】
図１（ａ）は、電子フィルムビュワー装置におけるマルチ画面を生成する構成の概念を示す図である。ここで、マルチ画面とは、図２（ａ）に示すように表示される１画面を所定数（例えば、２０画面）に分割し、その分割された画像部分の１つにフィルム１コマ分の画像を当て嵌め、全コマの画像データを１画面に同時に表示する表示画面であるものとする。その１コマ分の画像には、コマ数がスーパーインポーズされ、マルチ画面上に表示される。上記コマ数は、フィルムに付されたコマ数若しくは装置に取り入れられた画像順に付された数値である。
【００１７】
また、図２（ｂ）は、図２（ａ）で３番目のコマ数の画像を指定した場合に、表示される一例である。
図１（ａ）に示すこの装置は、未裁断の現像済みのフィルムが巻き取られ収納されるフィルムカートリッジ１と、該フィルムカートリッジ１を装脱着するカートリッジ収納部２と、該カートリッジ収納部２に装着されたフィルムカートリッジ１からフィルムを引き出す若しくは巻き戻すフィルム給送部３と、該フィルム給送部３で位置出しされたコマの映像を光学的に取出し、光電変換により電子映像信号（画像データ）として得る画像入力部４と、順次得られる１コマの画像データを所定数に分割された表示画面の分割画像部分の１つづつに当て嵌め、マルチ画面を生成するマルチ画面生成部５と、生成されたマルチ画面を記憶するマルチ画面記憶部６とで構成される。
【００１８】
上記マルチ画面記憶部６に記憶されるマルチ画面は、図示しない制御部によりビデオ信号として読み出され、外部ＴＶモニタ等の表示部７に表示される。
また、前述した例では、上記マルチ画面生成部５がマルチ画面を生成した後、そのマルチ画面をマルチ画面記憶部６に記憶したが、他の例として、マルチ画面生成部５がマルチ画面記憶部６の所定の記憶領域（上記分割された画像部分の１つに相当するアドレス）毎に１コマ分の画像データを順次記憶させていき、記憶処理が完了した時点で、マルチ画面記憶部６にマルチ画面が生成されてもよい。
【００１９】
この装置構成においては、フィルムカートリッジ１が装置本体に装着されると、自動的にフィルムが給送され、１コマずつ、全コマに渡って画像入力し、全コマの画像データを１表示画面で表すマルチ画面を生成して記憶する。フィルムカートリッジ１が巻戻され取り出されるまで、このマルチ画面を記憶しており、随時フィルム全コマの画像の確認可能になっている。
【００２０】
また、図１（ｂ）には、別の構成例を示す。この構成例は、図１（ａ）に示した構成に、上記マルチ画面記憶部６に記憶されるマルチ画面か、上記フィルムカートリッジ１のフィルム１コマから取り出した１つの画像データかを切換えて、外部の表示部７にいずれかのビデオ信号を送出する切換え部８と、この切換え部８に切換え指示を行い、且つフィルムの所定コマを位置出しするようにフィルム給送部３に給送指示を行う操作部９がさらに、設けられている。
【００２１】
このような構成により、フィルムの全コマの画像データに渡って確認する場合には、上記マルチ画面記憶部６に記憶されるマルチ画面を読み出し、操作部９で所望するコマ数を指定すると、指定されたコマが画像入力部４でデータとして取り出すための所定位置までフィルム給送され、メモリ等を介さずに、直接、表示部に画像データが出力される。すなわち、メモリはマルチ画面を記憶できる記憶容量で済み、少ない容量のメモリで対応できる。
【００２２】
次に図３には、本発明による実施例として電子フィルムビュワー装置の外観図を示し説明する。
この電子フィルムビュワー装置においては、図示していないが本体裏面等に、図１で示したようなビデオ信号を出力するためのビデオ出力端子が設けられており、直接的にＴＶモニタ等と接続される。装置本体１１の正面には、フィルムカートリッジ１を装着するためのカートリッジ挿入口１２が設けられている。このカートリッジ挿入口１２には、開閉自在な蓋１３が取り付けられている。
【００２３】
さらに、種々の動作状態等を表示するためのＬＣＤ表示部１４と、後述するリモートコントロールスイッチ（以下、リモコンと称する）１５の種々の制御信号光を受光するリモコン受光窓１６と、電源スイッチ１７とが設けられている。但し、本実施例では、リモコン上に設けたスイッチ類により操作するが、これらのスイッチは装置本体に直接実装してもよい。
【００２４】
上記リモコンは、上面に種々のスイッチが設けられている。
まず、フィルムカートリッジ１にフィルムを完全に収納する巻き戻しスイッチ２１と、１コマ巻戻しを行うコマ戻しスイッチ２２と、１コマ送りを行うコマ送りスイッチ２３と、連続押下により目標のコマ数をセットする１〜０までのコマ数指示スイッチ２４と、入力画像をネガ出力するかポジ出力するかの選択を行うネガ／ポジスイッチ２５と、マルチ画面表示に切換えるためのマルチ画面切換スイッチ２６とが設けられている。
【００２５】
このようなスイッチの設定で、目標コマ数がセットされると目標コマまでフィルムが自動的に給送される。コマ戻しスイッチ２２やコマ送りスイッチ２３を押しつづけて、カウントダウン、カウントアップさせることにより、目標コマ設定スイッチの代りとしても良いことは言うまでもない。
【００２６】
次に図４には、前述したＬＣＤ表示部１４の表示例を示す。
このＬＣＤ表示部１４において、カセットマーク表示２７は、フィルムカートリッジ１が未装着時に点滅し、カートリッジ挿入をうながす。コマ数表示２８は、、現在のコマ数（例えば、“１２”）を示しており、リモコン１５で目標コマ設定すると、「目標」と表示され、合せて目標コマ数（例えば、“１６”）が表示される。目標に合ってフィルムが駆動されるとコマ数は現在のコマ数にかわり目標に向ってコマ数がかわる（フィルムが給送される）。“ネガ”“ポジ”表示２９はネガ出力モードのとき“ネガ”がポジ出力モードのとき“ポジ”が表示される。
【００２７】
次に図５には、本実施例の電子フィルムビュワー装置の具体的なブロック構成を示し説明する。ここで、本実施例に使用するフィルムは、撮影コマの周辺でパーフォレーション方向に沿って、磁気記録媒体からなる磁気トラックが設けられており、コマに撮影された映像に関する情報が記録されているものとする。
【００２８】
この電子フィルムビュワー装置には、マイコン等からなり装置全体の制御を行なう制御部３１が設けられる。この制御部３１は、周辺ブロックを取り込んだゲートアレイ又はＲＩＳＣマイコンなどで構成してもよい。
【００２９】
この電子フィルムビュワー装置装置において、装置本体に装着されたフィルムカードリッジ１からフィルムを給送し、コマの映像を取り出すための所定位置に位置出しするモータ３２と、そのモータドライバ３３と、位置出しされたコマに照明光を照射するランプ３４とその照明用ドライバ３５と、照明光によって得られた映像をセンサ面に結像させるための光学系３６と、光電変換により結像された光学像から電子映像信号を生成するイメージセンサ３７と、該イメージセンサ３７を所定タイミングで駆動するためのタイミングジェネレータ３８と、生成された電子映像信号を増幅するヘッドアンプ３９と、増幅された電子映像信号をデジタル化するＡ／Ｄ変換部４０と、制御部３１に制御されるアドレス制御部４１で指定されたアドレスに電子映像信号を１コマの画像単位で記憶するメモリ４２とが設けられる。
【００３０】
上記指定されたアドレスは、前述したマルチ画面を生成するために、１コマづつ画像データを記憶させていく領域を示し、全データの記憶完了時には、１つのマルチ画面が完成するように指示されるものである。
【００３１】
さらに本装置には、上記メモリ４２から読出されたマルチ画面をアナログ化するＤ／Ａ変換部４３と、アナログ化されたマルチ画面若しくは、上記ヘッドアンプ３９から直接入力される１コマ分の電子映像信号（画像データ）を切換えて、いずれか一方を出力するための切換え部４４と、選択されたマルチ画面若しくは１コマ分の画像データからビデオ信号を生成するエンコーダ４５とが設けられる。  この構成により、上記イメージセンサ３７で生成された電子映像信号（画像データ）は、二系統の経路のいずれかを経て外部の表示部に出力される。一系統目は、ヘッドアンプ３９から直接信号をエンコーダ４５に送出する系統であり、フィルム画像出力を直接ビデオ信号として出力する。もう一つの系統は、Ａ／Ｄ変換した後メモリ４２に記憶させマルチ画面としてエンコーダ４５に送出するものである。つまり、アドレス制御によりフィルム１コマごとのマルチ画面部に画素を間引いて記憶する。メモリはＤ／Ａに接続されており、マルチ画面表示時は切換手段によりエンコーダ部に接続され、マルチ画面がビデオ信号として出力される。このように、本実施例では、メモリの容量が最低、１マルチ画面を記憶するための１画面分でよい。
【００３２】
さらに、本実施例の電子フィルムビュワー装置装置には、フィルムの磁気トラックに記憶されたデータを記録再生するための磁気ヘッド４６と、それを駆動する磁気回路４７と、装置の動作状態を示すための表示部４８と、電源スイッチ等からなる操作部４９と、リモコン受信部５０とが設けられている。
【００３３】
ここで図６には、電子フィルムビュワー装置におけるフィルムから映像を取り出し光電変換して電子映像信号を生成するための配置構成を示し説明する。この構成において、モータ３２の駆動によってフィルムカードリッジ１から引き出されたフィルムは、スプール５１に巻き取られる。上記フィルムカードリッジ１とスプール５１との間で、片側にフィルムの映像を投射させるためのランプ３４が設けられ、その反対側には、フィルムの映像を結像させる光学系３６と、映像を光電変換するイメージセンサ３７が設けられている。このイメージセンサ３７の一例としてエリアセンサが図示されている。
【００３４】
またその近傍には、コマの位置出しを行うために、フィルムのパーフォレーション５２を検出するＰ．Ｒ．５３が設けられる。さらに上記フィルムの磁気トラック５４には磁気ヘッド４６が当接され、撮影された映像に関する情報の書込み若しくは読み出しが行なわれる。また、スプール５１とフィルムカードリッジ１はモータ切換え部５５の切換えによっていずれかがモータ３２により駆動される。つまり、フィルム送り出し時は、まずモータ３２でフィルムカートリッジｌの軸を回転させ、フィルムを送り出し、スプール５１に巻きついた後、モータ切換部５５で切換え、スプール側を回転させてフィルムを給送する。フィルム巻戻し時は、スプール５１をフリーな状態にして、フィルムカートリッジｌの軸を回転させてフィルムを収納する。
【００３５】
上記ランプ３４は、画像入力時のみ点灯される。図示する上記磁気ヘッドは、フィルムが給送され、指定コマが位置出しされた状態で該指定コマに関する情報がすでに読み出された位置（カートリッジ側）に位置している。
【００３６】
次に、図７のフローチャートを参照して、このように構成された電子フィルムビュワー装置装置の動作について説明する。
まず、電源スイッチのオンにより（ステップＳ１）、装置が初期設定される（ステップＳ２）。次に、フィルムカートリッジ１がカートリッジ挿入口１２から挿入されたか否かチェックする（ステップＳ３）。この検出方法としては、カートリッジ挿入口１２の蓋１３に検出スイッチを設け検出しても、カートリッジ自体を直接検出してもよい。
【００３７】
そして上記ステップＳ３で、上記フィルムカートリッジ１が未装着時には（ＮＯ）、電源スイッチ１７のオン・オフ状態をチェックし（ステップＳ４）、オフならば（ＮＯ）、本シーケンス処理を終了させる。しかし、オンならば（ＹＥＳ）、ＬＣＤ表示部１４でカートリッジ未挿入表示（カートリッジマーク点滅）させ（ステップＳ５）、フィルムカートリッジ１が挿入されるまで待機する。
【００３８】
そしてステップＳ３で、フィルムカートリッジ１が挿入された場合は（ＹＥＳ）、フィルムローディングを行なった後（ステップＳ６）、フィルム全コマの画像をマルチ画面として記憶する全コマ読出しを行なう（ステップＳ７）。
【００３９】
次にリモコン１５の操作スイッチの操作による信号が受信されたか否かチェックする（ステップＳ８）。但し、本体側にスイッチ類が実装されている場合にはリモコン受信の代りにスイッチの操作検出を行なう。
【００４０】
次に装置の設定モード及び状態に合せてＬＣＤ表示を行なう（ステップＳ９）。次にマルチ画面が外部の表示部の表示画面に表示中か否かチェックし（ステップＳ１０）、マルチ画面表示中であれば（ＹＥＳ）、コマ送りスイッチ２３とコマ戻しスイッチ２２の入力を禁止する。これは、マルチ画面の場合は現在どのコマの位置にフィルムがあるかわからないので禁止する。
【００４１】
しかし、マルチ表示中でなければ（ＮＯ）、コマ送りスイッチ２３をチェックする（ステップＳ１１）。ここで、スイッチがＯＮであれば（ＹＥＳ）、目標コマ数（以下０Ｋ）に現状のコマ数（Ｋ）に１を加えた数を代入し（ステップＳ１２）、０Ｋコマ送りを行なう（ステップＳ１３）。
【００４２】
また、コマ戻しスイッチ２２をチェックする（ステップＳ１４）。スイッチがＯＮであれば（ＹＥＳ）、０ＫにＫ−１を代入し（ステップＳ１５）、ステップＳ１３に移行して、０Ｋコマ送りを行なう。
【００４３】
次にコマ数指示部の数字入力により目標コマ数の設定をチェックし（ステップＳ１６）、目標コマ数が設定された場合も（ＹＥＳ）、ステップＳ１３に移行して、０Ｋコマ送りが実行される。そして、０Ｋコマ送りが行なわれた後は、そのフィルムコマの画面表示が行なわれ（ステップＳ１７）、ステップＳ２１に移行する。しかし、上記ステップＳ１６で０Ｋ設定がされなかった場合は（ＮＯ）、次にマルチ画面切換スイッチのオン・オフがチェックされる（ステップＳ１８）。ここでＯＦＦであれば（ＮＯ）、ステップＳ２１に移行し、ＯＮであれば（ＹＥＳ）マルチ画面が表示されているかチェックし（ステップＳ１９）、マルチ画面が表示中であれば（ＹＥＳ）、上記ステップＳ１７でフィルム画面表示を行い、マルチ画面が表示されていなければ（ＮＯ）、マルチ画面を表示する（ステップＳ２０）。
【００４４】
次にステップＳ２１でネガ・ポジスイッチ２５をチェックし、ＯＮしていれば（ＹＥＳ）、表示Ｔ画面のネガ・ポジ反転を行ない（ステップＳ２２）、ＯＦＦであれば（ＮＯ）、巻戻しスイッチ２１のオン・オフの状態をチェックする（ステップＳ２３）。ここで巻戻しスイッチがＯＮであれば（ＹＥＳ）、巻戻した後（ステップＳ２４）、フィルムカートリッジ１を装置から取り出せば、メモリに記憶されるマルチ画面がクリアされ（ステップＳ２５）、ステップＳ３に戻る。この時、フィルムカートリッジ１を取り出さずに、フィルム装填中であれば、いつでもマルチ画面を表示することができるものとする。但し、メモリクリア処理のステップが設定されていなくても、次に新たなフィルムカートリッジ１が装着されれば、自動的に更新されるため、ここでメモリクリアを行なわなくともよい。またカートリッジ挿入口１２の蓋１３の開閉時にメモリをクリアするようにしてもよい。
【００４５】
上記ステップＳ２３で、巻戻しスイッチがＯＦＦの場合は（ＮＯ）、電源スイッチのオン・オフ状態をチェックし（ステップＳ２６）、ＯＮの場合は（ＹＥＳ）、ステップＳ８へ移行し、ＯＦＦの場合は（ＮＯ）、本シーケンス処理を終了する。
【００４６】
次に図８のフローチャートを参照して、マルチ画面の生成について説明する。まずフィルムの全コマ数を読み取り（ステップＳ３１）、そのコマ数により、メモリの１表示画面に相当する記憶領域を分割する（ステップＳ３２）。この分割は１５分割、２０分割、４０分割などが考えられるが、それぞれ画面の横・縦分割で５×３、５×４、８×５などに分割されるものと考えればよい。この内で横方向の分割数はＸに、縦方向の分割数はＹに代入される。マルチ画面はあくまでインデックス機能として使用するため、分割の状態によって、１コマ分の表示仮面のアスペクト比が多少異なるのはやむを得ないものとする。
【００４７】
次に、係数Ｋ（コマ数）を１に初期化し（ステップＳ３３）、Ｘ，Ｙも１に初期化する（ステップＳ３４）。
次にフィルムから１コマ分の画像を読出し（ステップＳ３５）、外部の表示部の表示画面にコマ数と共に表示する（ステップＳ３６）。但し、生成するマルチ画面を表示して、その内の分割画面の１つにコマ数と共に入力されるごとに表示して、全コマの画像入力が終了する表示するようにすれば、ステップＳ３６の１コマの画像表示は省略しても良い。
【００４８】
次にＫ，Ｘ，Ｙのメモリ位置に画像データを書込む（ステップＳ３７）。この書込みは、マルチ画面のメモリにアドレス制御によりデータを間引くことで行なわれる。又ここでコマ数をスーパーインポズして記憶する。
【００４９】
次にＫをインクリメントし（ステップＳ３８）、全コマの画像を入力したかチェックし（ステップＳ３９）、全コマについて画像入力が終了した場合は（ＹＥＳ）、Ｋをデクリメントし（ステップＳ４０）、もとに戻した後、生成されたマルチ画面表示して（ステップＳ４１）、本シーケンスを終了する。
【００５０】
上記ステップＳ３９で、全コマについて画像入力が終っていない場合は（ＮＯ）、Ｘをインクリメントし（ステップＳ４２）、Ｘが横分割の数を超えたかチェックし（ステップＳ４３）、Ｘが横の分割を超えなければ（ＮＯ）、ステップＳ３５に戻る。しかし、Ｘが横の分割を超えた場合は（ＹＥＳ）、Ｘを１に設定し（ステップＳ４４）、Ｙをインクリメントし（ステップＳ４５）、マルチ画面の次の記憶アドレスを指定した後、１コマ巻上げを行なった後（ステップＳ４６）、ステップＳ３５に戻り、同様な処理を繰り返し行う。
【００５１】
図９のフローチャートを参照して、０Ｋコマ送りの動作について説明する。
まず、０ＫとＫを比較する（ステップＳ５１）、０Ｋ≧Ｋとなる場合は（ＹＥＳ）、目標コマ数が現在のコマ数以上の場合である。この場合には、０Ｋ＝Ｋかチェックし（ステップＳ５２）、０Ｋ＝Ｋでなければ（ＮＯ）、モータ３２を正転させ（ステップＳ５３）、Ｐ．Ｒ．５３で検出して１コマ進むごとに（ステップＳ５４）、Ｋ←Ｋ＋１を行ない（ステップＳ５５）、コマ数を表示部４８（ＬＣＤ表示部１４）に表示する（ステップＳ５６）。そして、０Ｋ＝Ｋとなったところで（ステップＳ５７）、モータを停止させ（ステップＳ５８）、リターンする。
【００５２】
上記ステップ５１において、０Ｋ＞Ｋでない場合は（ＮＯ）、モータ３２を逆転させ（ステップＳ５９）、１コマ戻るごとに（ステップＳ６０）、Ｋ←Ｋ−１を行ない（ステップＳ６１）、コマ数を表示する（ステップＳ６２）。そして、０Ｋ＝Ｋになったところで（ステップＳ６３）、モータ３２を停止し（ステップＳ５８）、フィルムを目標位置まで駆動させる。
【００５３】
なお、本実施例では、磁気トラックを映像に関する情報の記録に用いたが、勿論これに限らず、光学的にフィルムに記録してもよい。
以上のことから本実施例の電子フィルムビュワー装置は、１つのマルチ画面を見ることで、フィルムの全コマの画像データに渡って確認でき、所望するコマ数を指定すると、指定されたコマが選択され、メモリを介さずに表示画面に表示できる。
【００５４】
また、本実施例は、従来のようにメモリに一旦書き込んで読出した画像ではないため、画像の劣化が少なく、高品位な画像が得られる。また、メモリの容量は、最低１つのマルチ画面を記憶できる記憶容量で済み、少ない容量のメモリで対応でき、簡素な構成で電子フィルムビュワー装置が実現できる。
【００５５】
なお、本発明の上記実施態様によれば、以下如き構成が得られる。
（１）  フィルムから画像入力し、ビデオ信号に変換する電子フィルムビュワー装置において、
フィルムを自動的に給送する手段と、全てのコマの画像を順次入力する手段と、入力された画像をマルチ画面としてメモリに記憶する処理手段と、少なくともフィルムカートリッジのフィルムが巻戻されるまでは上記メモリに記憶されたデータを保持することを特徴とした電子フィルムビュワー装置。
【００５６】
（２）  上記画像の順次入力は、フィルムカートリッジの装着に連動して行われることを特徴とする上記（１）記載の電子フィルムビュワー装置。
（３）  確認コマ指定手段と、マルチ画面表示手段と、
確認コマが指定されたときには、フィルムを指定コマまで給送し、画像入力した結果を直接ビデオ信号に変換し出力する出力手段と、
マルチ画面表示が指定されたときには、上記メモリに記憶された出力に切換える切換手段とをさらに具備することを特徴とする上記（１）記載の電子フィルムビュワー装置。
【００５７】
（４）  上記メモリに記憶されたデータは、巻戻し終了時又はフィルムカートリッジ蓋の開閉に連動して初期化されることを特徴とする上記（１）記載の電子フィルムビュワー装置。
【００５８】
（５）  磁気記憶媒体からなる磁気トラックを有する現像済みのフィルムが巻回し収納されたフィルムカートリッジを装着し、該フィルムのコマの映像を光学的に取出し、電子映像信号に変換して表示手段に表示する電子フィルムビュワー装置において、
給送モータにより上記カートリッジから上記フィルムを給送し若しくは巻き戻すフィルム給送手段と、
上記フィルムのコマから映像を光学的に取出し、電子映像信号に変換する画像入力手段と、
上記フィルムの磁気トラックに記録される上記映像に関する情報を読出し／書き込みする映像情報読出し／書き込み手段と、
上記画像入力手段から取り出された電子映像信号と上記映像に関する情報を記憶するための画像メモリ手段と、
上記画像メモリ手段に電子映像信号を記憶する際に、上記表示手段の１表示画面を所定数に分割して、フィルム１コマの画像をその１分割画像部分に順次記憶させる全コマの画像を同時に表示するマルチ画面を生成するマルチ画面生成手段と、
上記フィルムの所望コマの映像、上記画像メモリ手段に記憶されるマルチ画面若しくは、上記画像入力手段により取り出した上記マルチ画面内で指定された１分割画像に相当する上記フィルムの所定コマの映像のいずれかを選択し上記表示手段に送出するエンコーダ手段と、
を具備することを特徴とする電子フィルムビュワー装置。
【００５９】
【発明の効果】
以上詳述したように本発明によれば、少なくとも１画像分のメモリ容量のメモリを搭載することで構成でき、フィルムカートリッジに収納される現像済みフィルムの全部の内容を１画面で確認可能な電子フィルムビュワー装置を提供することができる。
【図面の簡単な説明】
【図１】本発明の電子フィルムビュワー装置における概念的な構成を示す図である。
【図２】本実施例のマルチ画面と選択された１コマの画像を示す一例である。
【図３】本実施例の電子フィルムビュワー装置の外観を示す図である。
【図４】図３に示したＬＣＤ表示部の表示例を示す図である。
【図５】電子フィルムビュワー装置の具体的な構成を示すブロック図である。
【図６】コマから映像を取出し電子映像信号を生成する配置構成を示す図である。
【図７】本実施例の電子フィルムビュワー装置装置の動作を説明するためのフローチャートである。
【図８】マルチ画面の生成について説明するためのフローチャートである。
【図９】０Ｋコマ送りの動作について説明するためのフローチャートである。
【符号の説明】
１…フィルムカートリッジ、２…カートリッジ収納部、３…フィルム給送部、４…画像入力部、５…マルチ画面生成部、６…マルチ画面記憶部、７…表示部、８…切換え部、９…操作部、１１…装置本体、１２…カートリッジ挿入口、１３…蓋、１４…ＬＣＤ表示部、１５…リモートコントロールスイッチ、１６…リモコン受光窓、１７…電源スイッチ。
【図１】
0003542175.tif 000002
【図２】
0003542175.tif 000003
【図３】
0003542175.tif 000004
【図４】
0003542175.tif 000005
【図５】
0003542175.tif 000006
【図６】
0003542175.tif 000007
【図７】
0003542175.tif 000008
【図８】
0003542175.tif 000009
【図９】
0003542175.tif 000010